Podtech/llm-jp-corpus-v4-ja_patent huggingface dataset:
(57)【要約】【課題】従来のカーテンでは、布地を厚手にしても、カーテンと窓との隙間ができてしまう。その隙間より、外の寒気が室内に入るのを和らげる。【解決手段】布地のふちに、防寒部材を取り付けることを特徴とする。窓側に取り付けられた防寒部材が布地と窓枠の隙間を埋め、外の寒気が入るのを和らげる。また部屋側に取り付けられた防寒部材は、室内装飾としての機能を果たす。固定手段により、防寒部材を脱着可能とし、温度調整、カーテンの洗濯を可能とする。【選択図】    図１
2004195140.tif 000002
【特許請求の範囲】
【請求項１】
布地のふちに防寒部材を施すカーテン
【請求項２】
前記防寒部材が、固定手段により脱着可能である請求項１記載のカーテン
【発明の詳細な説明】
【０００１】
【発明の属する技術分野】
本発明は、防寒用カーテンに関するものである。
【０００２】
【従来の技術】
従来のカーテンは、布地１枚または、布地複数枚の重ね縫いで構成されているものがほとんどである。
【０００３】
【発明が解決しようとする課題】
これは次のような欠点があった。従来のカーテンでは、布地を厚手にしてもカーテンと窓との隙間ができてしまう。
それ故、カーテンの右端と左端と下端から、外の寒気が室内に入りやすかった。そこで、本発明は、この欠点を除き、防寒カーテンを提供することを課題とする。
【０００４】
【課題を解決するための手段】
請求項１では、布地のふちに、防寒部材を取り付けることにより、外の寒気が室内に入るのを和らげることにより課題を解決する。
【０００５】
請求項２では、請求項１の発明において更に、固定手段により防寒部材を脱着可能とし、温度調節、またカーテンの洗濯を可能とする。
【０００６】
【発明の実施の形態】
図１、図２、図３は、カーテンを窓側から示す図、図４は図１の一側の側面図、図５は図１のカーテン布地と防寒部材の固定手段を外した拡大図である。
【０００７】
図１は、カーテン布地１の右端と左端と下端に、防寒部材２を取り付けた実施例である。図２はカーテン布地１の右端と左端に、防寒部材２を取り付けた実施例である。図３はカーテン布地１の下端に、防寒部材２を取り付けた実施例である。
同様に防寒部材をカーテン布地１の部屋側に取り付けることも可能である。
【０００８】
図４のカーテン布地１と窓枠３との間に防寒部材２が存在する為、外の寒気が室内に入るのを和らげる。
【０００９】
図５の固定手段４により、カーテン布地１と防寒部材２は、脱着可能となる。固定手段とは、ボタン、ホック、マジックテープ、接着剤、縫い合わせをいう。
【００１０】
以上示した防寒部材とは、いわゆる「ふさふさ」とした断熱用に加工されたものである。素材は、毛皮、フェイクファー、マラボー（羽毛の巻き物）、ターキー（水鳥の羽毛の巻き物）、毛糸の房、合成繊維の房、スポンジ、発泡素材、綿である。
【００１１】
【発明の効果】
本発明は以上に説明したような構成により次のような効果を奏する。
請求項１に記載されている発明は、カーテンのふちと窓の隙間を埋めることができるので、外の寒気が室内に入るのを和らげる効果がある。
また、窓側だけではなく部屋側の布地に防寒部材を取り付けることにより、室内装飾としての機能も果たす。
請求項２に記載されている発明は、温度調節、またカーテンの洗濯を行うことを可能とする。
【図面の簡単な説明】
【図１】防寒部材を右端・左端・下端に取り付けたカーテンを窓側から示す図である。
【図２】防寒部材を右端・左端に取り付けたカーテンを窓側から示す図である。
【図３】防寒部材を下端に取り付けたカーテンを窓側から示す図である。
【図４】図１のカーテンを窓に取り付けた側面図である。
【図５】図１のカーテン布地と防寒部材の固定手段を外した一部を示す図である。
【符号の説明】
１  カーテン布地
２  防寒部材
３  窓枠
４  固定手段
【図１】
2004195140.tif 000003
【図２】
2004195140.tif 000004
【図３】
2004195140.tif 000005
【図４】
2004195140.tif 000006
【図５】
2004195140.tif 000007
(57)【要約】【課題】長い線香でも短い線香でも最後まで消えることなく使用でき、線香立て部を着脱自在に設けることにより、掃除が簡単に行え、いつまでも清潔に使用できる線香立てを提供する。【解決手段】コイル状に形成した線香立てにおいて、灰を受ける受皿の中央部にコイル状に形成した線香立て部を立設すると共に、該線香立て部の外周に、少なくとも３本の支柱を設けてなることを特徴とする。【選択図】  図１
2004195146.tif 000002
【特許請求の範囲】
【請求項１】
コイル状に形成した線香立てにおいて、灰を受ける受皿の中央部にコイル状に形成した線香立て部を立設すると共に、該線香立て部の外周に、少なくとも３本の支柱を設けてなることを特徴とする線香立て。
【請求項２】
線香立て部を支柱に沿って上下動可能に形成してなることを特徴とする請求項１記載の線香立て。
【請求項３】
線香立て部の線径を直径０．４ｍｍ以下とすることを特徴とする請求項１又は２記載の線香立て。
【請求項４】
線香立て部を着脱自在に設けてなることを特徴とする請求項１、２又は３記載の線香立て。
【発明の詳細な説明】
【０００１】
【発明の属する技術分野】
この発明は、線香の長短に関係なく使用できる線香立てに関するものである。
【０００２】
【従来の技術】
従来の技術としては、墓石の上面に設けた凹入孔に下面の突出部を嵌め込んで支持させる台板と、前記台板の上面に下端を支持させて立設し、かつ上端の直径が他の部分の直径よりも小径となるコイルスプリングとから成る線香立てがある。（特許文献１参照）
また、台座の上面に、線状材を螺線状に巻いた筒状コイルを立設したことを特徴とする線香立てがある。（特許文献２参照）
【０００３】
【特許文献１】
実開昭６４−２７３６１号公報（実用新案登録請求の範囲、図１）
【特許文献２】
実開昭６２−７５７７８号公報（実用新案登録請求の範囲、図２）
【０００４】
【発明が解決しようとする課題】
しかし、上記前者のような形態では、上端の直径が他の部分の直径よりも小径にしてなるコイルスプリングのものであるが、線香の短いものを使用する場合、上から落し込まなければならず、使用しにくい。
また、コイルスプリングを着脱自在に形成していないため、掃除しにくいのが現状である。
【０００５】
また、上記後者においても同様で、線香の短いものや掃除する時に問題があるものである。
本発明は、上記の問題点に鑑みなされたもので、長い線香でも短い線香でも最後まで消えることなく使用でき、線香立て部を着脱自在に設けることにより、掃除が簡単に行え、いつまでも清潔に使用できる線香立てを提供することを目的とする。
【０００６】
【課題を解決するための手段】
上記課題を解決するため本発明は、コイル状に形成した線香立てにおいて、灰を受ける受皿の中央部にコイル状に形成した線香立て部を立設すると共に、該線香立て部の外周に、少なくとも３本の支柱を設けてなること。また、線香立て部を支柱に沿って上下動可能に形成してなること。さらに、線香立て部の線径を直径０．４ｍｍ以下とすること。その上、線香立て部を着脱自在に設けてなることを特徴とする。
【０００７】
【発明の実施の形態】
線香立て１は、基台２の上面に灰を受ける受皿３を設け、該受皿３の中央部に、直径０．４ｍｍ以下のコイル状に形成した線香立て部４を立設すべく、該線香立て部４の外周に４本の支柱５（特に線径等は限定しない）を突設してなるもので、該線香立て部４は着脱自在に設けると共に、支柱５に沿って上下動可能に設けてなるものである。
なお、支柱５の先端部は安全性を考慮してリング状に形成するものとする。（図１、２、３、４参照）
【０００８】
上記線香立て１の使用例として、長い線香ＳＫを使用する場合、線香立て部４を上方に少し伸ばした状態にし、上方より長い線香ＳＫを差し込む。
この状態で、線香ＳＫが短くなって線香立て部４に接触しても直径が細いため消えることなく最後まで使用できるものである。（図５参照）
【０００９】
また、別の使用例として、短い線香ＳＫ１を使用する場合、線香立て１の線香立て部４を下方に縮めた状態にし、上方より短い線香ＳＫ１を差し込んで使用する。
上記と同様に、線香立て部４を縮めても消えることなく使用できる。
【００１０】
さらに、線香立て部４は支柱５より着脱自在に形成しているため、簡単に取り外せ、掃除ができる。
なお、線香立て部４及び支柱５の材質はステンレスが望ましいが、特に限定しない。
また、支柱は３本でも問題なく使用できる。
【００１１】
【発明の効果】
１）、コイル状の線香立て部を支柱にて確実に支持できるため細い線径のものでも使用でき、線香が消えることなく使用できる。
２）、線香立て部を支柱に沿って上下動できるため、長い線香でも、短い線香でも最後まで使用できる。
３）、特に線香立て部の線径を直径０．４ｍｍ以下とすることにより最後まで使用できる。
４）、線香立て部を着脱自在に設けることにより、掃除が簡単に行え、いつまでも清潔に使用できる。
【図面の簡単な説明】
【図１】本発明の線香立ての一実施例を示す正面図。
【図２】本発明の線香立ての一実施例を示す平面図。
【図３】本発明の線香立ての一実施例を示す正面端面図。
【図４】本発明の線香立ての一実施例を示す底面図。
【図５】本発明の線香立ての一実施例を示す第１使用例の正面図。
【図６】本発明の線香立ての一実施例を示す第２使用例の正面図。
【符号の説明】
１−−−線香立て
２−−−基台
３−−−受皿
４−−−線香立て部
５−−−支柱
ＳＫ−−線香
【図１】
2004195146.tif 000003
【図２】
2004195146.tif 000004
【図３】
2004195146.tif 000005
【図４】
2004195146.tif 000006
【図５】
2004195146.tif 000007
【図６】
2004195146.tif 000008
(57)【要約】【課題】身障者或は高齢者等が使い易く、しかも従来品の布製マット等が不用となる浴室の出入口に敷設する湯上り用マットの提供。【解決手段】矩形状の受皿１の外側に、スロープ部材３を設けて段差を解消し、該受皿１内に、すのこ２を載置すると共に、前記受皿１を前後及び左右に連結可能にして敷設場所のスペースに対応可能にした。【選択図】    図１
2004195144.tif 000002
【特許請求の範囲】
【請求項１】
適度の深さを持つ矩形上の受皿１と、該受皿１内に取外可能に載置した、すのこ２と、前記受皿１の外側三辺にスロープ部材３を設けたことを特徴とする湯上り用マット。
【請求項２】
前記スロープ部材３は、受皿１の壁１ａにビス等の止着具４によって着脱可能に装着され、且つ、前記受皿１の壁１ａに連結用の貫孔５を穿設し、受皿１の前後方向及び左右方向に他の受皿を前記貫孔５を介してボルト、ナット等により連結し得るようにした請求項１記載の湯上り用マット。
【発明の詳細な説明】
【０００１】
【発明の属する技術分野】
本発明は、浴室の出入口に敷設する湯上り用マットに関するものである。
【０００２】
【従来の技術】
従来周知の湯上り用マットは、生地厚の布製マットが多用されているが、この布製マットは、湯上りの水滴等によって水漏れがはげしく、使用時に不快感を覚えることがある。
【０００３】
【発明が解決しようとする課題】
本発明は、湯上り時の水滴を、受皿内に落下するようにしてマットの水濡れを防止し、或いはマットに水滴が付着した場合でも自然乾燥を可能にしてマットの交換を不用にし、しかも浴室の出入口部分の段差を解消して特に老人、身障者等に優しい湯上り用マットの提供を目的としたものである。
【０００４】
【課題を解決するための手段】
本発明は、前記の目的を達成する手段として、適度の深さを持つ矩形上の受皿１と、該受皿１内に取外可能に載置した、すのこ２と、前記受皿１の外側三辺にスロープ部材３を設け、又、前記スロープ部材３は、受皿１の壁１ａにビス等の止着具４によって着脱可能に装着され、且つ、前記受皿１の壁１ａに連結用の貫孔５を穿設し、受皿１の前後方向及び左右方向に他の受皿を前記貫孔５を介してボルト、ナット等により連結し得るようにした。
【０００５】
【発明の実施の形態】
本発明の具体的な構成を図にもとづいて説明すると、四方の壁１ａに囲まれている受皿１は適度の深さをもち、外側三辺に表面が傾斜しているスロープ部材３を付設してある。このスロープ部材３は、前記壁１ａに穿ったビス孔１ｂを介してスロープ部材３に埋設したナット６にビス等の止着具４を螺締することによって装着固定されており、又受皿１の壁１ａには連結用の貫孔５が穿設してあり、この貫孔５にボルト７を挿通し、ナット８を締着することにより、受皿１の前後方向及び左右方向に他の受皿を連結し、浴室の出入口のスペースに対応させることが可能になっている。
【０００６】
そして受皿１内には、すのこ２が取外可能に載置され、このすのこは、表面を凹凸面或は半球面状にして足裏のツボを適宜刺激し、健康促進に寄与し得るようにすることも可能である。尚、受皿１、すのこ２、スロープ部材は、木製、プラスチック、ゴム等によって製作することが望ましい。
【０００７】
【発明の効果】
本発明は、前記構成により、以下に列挙する諸効果を有する。
（１）体についた水滴が受皿１に落下し、濡れたすのこ２は自然乾燥し、すのこ２が汚れた場合は洗うことが可能であり、従来の布製マットを敷設する必要がない。
（２）スロープ部材３があるので、段差が解消され、障害者及び高齢者等が使い易く、非常に便利である。
（３）すのこ２の踏み板を、丸棒或いは凹凸面にすることにより足裏のツボを刺激し、健康促進に寄与することができる。
（４）連結用の貫孔５を利用して、すのこ２を前後或いは左右に連結することにより敷設場所のスペースに対応させることが可能となる。
【図面の簡単な説明】
【図１】本発明に係わる湯上りマットの平面図
【図２】同上Ａ−Ａ線断面図
【図３】同上Ｂ−Ｂ線断面図
【図４】分解斜視図
【図５】受皿の連結状況を示す斜視図
【図６】受皿の連結構造を示す断面図
【符号の説明】
１    受皿
２    すのこ
３    スロープ部材
４    止着具
５    貫通孔
【図１】
2004195144.tif 000003
【図２】
2004195144.tif 000004
【図３】
2004195144.tif 000005
【図４】
2004195144.tif 000006
【図５】
2004195144.tif 000007
【図６】
2004195144.tif 000008
(57)【要約】【課題】火災緊急時、とっさに装着でき、煙から呼吸及び視野を安全な場所まで確保する火災用折り畳み式簡易携帯緊急避難マスクを提供する。【解決手段】（イ）下端を開口した頭巾形状の袋（１）の全面に折り目の溝（２）を設け、前面に覗き窓（３）を設け、透明シールド（４）で塞ぎ、前面，後面に換気用開口部（５）を設け、フィルター（６）を装着する。（ロ）下端を開口した頭巾形状の袋（１）の下端開口部（７）の周囲にスカート（８）を装着し、スカート（８）の周囲にベルト（９）を装着することを特徴とする。【選択図】        図１
2004195147.tif 000002
【特許請求の範囲】
【請求項１】
（イ）下端を開口した頭巾形状の袋（１）の全面に折り目の溝（２）を設け、前面に覗き窓（３）を開け、透明シールド（４）で塞ぎ、前面、後面に換気用開口部（５）を設け、フィルター（６）を装着する。
（ロ）下端を開口した頭巾形状の袋（１）の下端開口部（７）の周囲にスカート（８）を装着し、スカート（８）の周囲にベルト（９）を装着する。
以上の構成によりなる火災用折り畳み式簡易携帯緊急避難マスク。
【発明の詳細な説明】
【０００１】
【発明の属する技術分野】
この発明は、火災時、煙による窒息を避け安全な場所まで避難する際に使用する火災用折り畳み式簡易携帯緊急避難マスクに関するものである。
【０００２】
【従来の技術】
従来、防災頭巾、ゴーグル、マスクと別体になった防災用具が普通であった。
【０００３】
【発明が解決しようとする課題】
これらには次のような欠点があった。
イ、普段使用することが無いので別体だと室内では目立ち無粋で見苦しくかさばり、ホテルやオフィスなどでは特に置き場所に困り緊急時、役に立たない場合があった。
ロ、別体のため、装着が繁雑でパニック状況で不便であった。
ハ、旅行などに持ち歩く際、携帯に不便であった。
【０００４】
【課題を解決するための手段】
下端を開口した頭巾形状の袋（１）の頭頂面と平行に前後、側面に渡る折り畳むための折り目の溝（２）を上下二本設け、次に側面と頭頂面を中央で二分する折り目の溝（２）を縦に入れ、それから二本の折り目の溝（２）の上側の一本との交点を頂点とし、側面上端を底辺とする逆三角形をなす、折り畳むための折り目の溝（２）も設け、そして、前面に折り目の溝（２）が、かからないように覗き窓（３）を横長に開け、透明シールド（４）で塞ぐ。袋（１）の前面、後面に折り目の溝（２）が、かからないように換気用開口部（５）を設け、フィルター（６）を装着する。袋（１）の下端開口部（７）の周囲にスカート（８）を張り巡らせ装着し、スカート（８）の周囲を囲むようにベルト（９）を設置し、スカート（８）の後面にベルト（９）の一部を固定する。
本発明は、以上の構成よりなる火災用折り畳み式簡易携帯緊急避難マスクである。
【０００５】
【発明の実施の形態】
以下、本発明の実施の形態を説明する。
（イ）下端を開口して頭頂部を有底状にした頭巾状からなり、アルミ蒸着加工がされた厚手防炎紙製の頭巾形状の袋（１）の頭頂面と平行に前後、側面に渡る小さく薄く折り畳むための折り目の溝（２）を上下二本設け三つ折りできるようにし、次に、側面と頭頂面に中央で二分する縦の折り目の溝（２）を入れ三つ折りのための二本の折り目の溝（２）の上側の一本との交点を頂点とし側面上端を底辺とる逆三角形をなす、内側に折り込み小さく薄く折り畳むための折り目の溝（２）も設ける。
（ロ）袋（１）の前面に、折り目の溝（２）がかからないように横長の覗き窓（３）を目の当たる位置に設け、防炎透明シールド（４）で密閉するように塞ぐ。
（ハ）袋（１）の前面、後面に、折り目の溝（２）がかからないように換気用開口部（５）を設け防煙、防毒フィルター（６）を装着する。
（ニ）袋（１）の下端開口部（７）の周囲に防炎、気密性の有した繊維のスカートを３０ｃｍ程の長さで張り巡らし装着する。
（ホ）スカート（８）の周囲を囲むように防炎加工済みのベルト（９）を設置し、スカート（８）の後面にベルト（９）の一部を固定する。
本発明は、以上の構成よりなっている。
本発明を使用するときは、小さく、薄く折り畳まれた袋（１）の折り目の溝（２）を伸ばし、スカート（８）を外に出し広げ、開口部から頭を入れ、覗き窓（３）が目の位置にくるように被り、スカート（８）を首の周りに垂らし、首との隙間の気密性を保つためにベルト（９）で締めるようにする。この結果、煙を直接吸い込むこともなく、煙が目にしみることも起こらず視界を確保でき避難できるのである。
また、図３に示すように、袋（１）の前面の覗き窓（３）の下方、口、鼻の当たるあたりに内側からガーゼマスクを装着すると、呼吸による透明シールドの曇りを防げる。
【０００６】
【発明の効果】
本発明を使用することによって、火災緊急時でも、とっさに頭から被るだけで煙を吸わずに安全な場所に避難できる。また、旅行先のホテルや高層ビルのオフィスなどでも、かさばらず置き場所にも困ることもなく手元に在れば、万一の時に安心である。
【図面の簡単な説明】
【図１】本発明の斜視図
【図２】本発明の後面図
【図３】本発明の使用状況を示す断面図
【符号の説明】
１頭巾形状の袋
２折り目の溝
３覗き窓
４透明シールド
５換気用開口部
６フィルター
７袋の下端開口部
８スカート
９ベルト
１０ガーゼマスク
【図１】
2004195147.tif 000003
【図２】
2004195147.tif 000004
【図３】
2004195147.tif 000005
(57)【要約】【課題】釣りを楽しむ女性や子供が増えているのに、釣りの現場では男性と同じように竿を腕だけ、あるいは脇の下に挟んで操ったりしなければならず、つい、お腹で竿尻を受けて操る場面が多く見られるので、力を分散させて少しでも楽に釣りを楽しめ、かつ老若男女誰でもが着けていて抵抗のないものをつくるのが目的である【解決手段】竿尻受けパッド（２）を中央に設けたベルト（１）に、ベルト（１）上の任意の位置にスライドできるよう、裏にベルト通し（５）（６）を設けたバッグ（３）（４）を組み合わせ、通常はウエストバッグにしか見えないが、釣り場ではバッグ（３）（４）付きの竿尻受けパッド（２）となることを特徴とする。【選択図】    図２
2004195148.tif 000002
【特許請求の範囲】
【請求項１】
パッド（２）部を前面に設けたベルト（１）と、ベルト（１）上の任意の位置にスライドできる２個のバッグ（３）（４）を組み合せたパッド（２）付きウエストバッグ。
【発明の詳細な説明】
【０００１】
【発明の属する技術分野】
この発明は竿尻受けパッドを設けたベルトと、ベルト上の任意の位置にスライド可能な釣り小物収納バッグ２個を組み合せた竿尻受けパッド付きウエストバッグに関するものである。
【０００２】
【従来の技術】
従来、筒状の竿受け部を設けたベルトがあった。
【０００３】
【発明が解決しようとする課題】
これは次のような欠点があった。
イ．これは主に沖で釣る時や、スポーツフィッシングなどの大物を釣り上げるための道具であり一般的ではなかった。
ロ．近場の船釣りや岸壁釣り用としての簡便なものがなかった。
ハ．殆どの釣り人は両腕を使い、又は竿を脇の下に挟んで操るが、慣れない人は力み過ぎて肩が凝ったり脇の下を痛めたりするなどの負担が大きく、つい腹部で竿尻を受けて力を預ける場面が多く、簡便な竿受けパッドが要求されていた。
ニ．竿を受けるパッドと小物を入れるバッグが一緒であって、なおかつファッション性に富んだものがなかった。
本発明は、釣りの種類や年令、性別老若を問わず釣り人の負担を軽くすると同時に、自宅から着用していっても違和感がないものを課題として研究をすすめた。
【０００４】
【課題を解決するための手段】
竿尻受けパッド（２）を前面に設けたベルト（１）を、２個のバッグ（３）（４）の裏に設けたベルト通し（５）（６）に通し、ウエストの後ろにバックル（７）で固定する。
本発明は、以上の構成よりなる竿尻受けパッド付きウエストバッグである。
【０００５】
【発明の実施の形態】
以下、本発明の実施の形態を説明する。
（イ）竿尻を受けるための強度が保て、かつ摩擦抵抗の強い材料よりなるパッド（２）をベルト（１）の中央に設け、パッド（２）の表面には凹凸を施し、摩擦抵抗を大きくするか、パッド（２）部に緩やかな凹みを施す。
（ロ）ベルト（１）に、ベルト通し（５）（６）を縫い付けたバッグ（３）（４）を装着する。
本発明は以上のような構成であり、バッグ（３）（４）は通常、パッド（１）上に装着しておき、釣りをする時にベルト（１）上の左右に移動させてパッド（１）部を露出させ、竿受けに供する。
【０００６】
【発明の効果】
腹部の竿受けパッドに竿尻を預けることによって、従来腕や脇の下に頼っていた力を腹部で受け止めることにより力が分散され、釣り人に負担がかからない。
また、ベルト上にあるふたつのバッグには釣り小物や貴重品が収納できる。
【図面の簡単な説明】
【図１】本発明の表面図
【図２】本発明の使用状態を示す斜視図
【符号の説明】
１  ベルト
２  竿尻受けパッド部
３  バッグ
４  バッグ
５  ベルト通し
６  ベルト通し
７  バックル
【図１】
2004195148.tif 000003
【図２】
2004195148.tif 000004
(57)【要約】【課題】トースターに別個の焼網を入れスルメ，切り餅など多目的に焼くことが出来る。【解決手段】別個に焼網本体をトースターの中に入れることを特徴とする。【選択図】    図１
2004195149.tif 000002
【特許請求の範囲】
【請求項１】
トースターの中に別個の焼網本体を取付けたもの。
【発明の詳細な説明】
【０００１】
【発明の属する技術分野】
この発明は、トースターの中に入れる別個の焼網に関するものである。
【０００２】
【従来の技術】
従来のトースターはパンを焼くだけのものであった。
【０００３】
【発明が解決しようとする課題】
これは次のような欠点があった。
従来のトースターはパン焼だけを目的としていたが、別個に焼網を入れスルメ，切り餅など多目的にも焼くことできる。
【０００４】
【課題を解決するための手段】
トースターの中に別個に焼網を取付ける。
本発明は以上のような構成よりなる焼網本体である。。
【０００５】
【発明の実施の形態】
以下、本発明の実施の形態について説明する。
トースターに入る焼網（１）を取付ける。
本発明は以上のような構造でこれを使用することによりパン以外も焼くことが出来る。
【０００６】
【発明の効果】
晩酌などで簡単にスルメ、切り餅など焼くことに利用できる。
【図面の簡単な説明】
【図１】本発明の斜視図である。
【符号の説明】
１  焼網本体    ２  取手      ３  金網
【図１】
2004195149.tif 000003
(57)【要約】【課題】船模型の喫水線より上の船体と喫水線より下の船底の連結を容易に固定し、かつ、洋上模型をフルハル模型として展示することができる展示台を提供する。【解決手段】ベース板１に台座２などで固定された船底型の模型３に永久磁石板４を埋め込み、重り板として鉄板などの磁性体を内蔵する洋上模型を連結し展示する。【選択図】  図１
2004195145.tif 000002
【特許請求の範囲】
【請求項１】
船底型模型に永久磁石板を埋め込んだことを特徴とする船模型の展示台。
【請求項２】
船底部模型に永久磁石板を埋め込み、ベース板に台座を挟んでビスで固定したことを特徴とする請求項１記載の船模型の展示台。
【発明の詳細な説明】
【０００１】
【発明の属する技術分野】
この発明は船の洋上模型を展示するときに容易にフルハル模型として展示する事が出来る展示台に関するものである。
【０００２】
【従来の技術】
従来、プラモデルなどの船の洋上模型をフルハル模型として展示するには洋上模型として成型された模型の船体に船底型のパーツを接着剤などで固定するか、予めフルハル模型として成型された模型の喫水線部に容易に切り取れるような筋を入れ洋上模型とするかフルハル模型とするかを選択する必要があった。
【０００３】
【発明が解決しようとする課題】
上記、従来の方法では、洋上模型に船底部を接着した場合に容易に洋上模型として展示する事が困難であった。またフルハル模型の艦底部を切り取って洋上模型とした場合には組み立て後にフルハル模型として展示することは困難であった。また、艦底部を接着しないでフルハル模型として展示した場合には振動などで容易に洋上模型が動いたり連結部に隙間が生じていた。
【０００４】
【課題を解決するための手段】
以上の課題を解決するために、請求項１の発明は船底型模型に永久磁石板を埋め込んだことを特徴とする船模型の展示台である。
また、請求項２の発明はとベース板に台座と固定ビスで船底型模型を取り付けたことを特徴とする船模型の展示台である。
【０００５】
【発明の実施の形態】
図２が示すように、この展示台はベース板１と固定金具２、固定用ビス２ａ、永久磁石板４と船底型模型３で構成されている。船底型模型３はプラスチックやポリウレタンなどの材質の物を使用しスクリューや舵などの部品を取り付け精密に作る事ができる。
前述の船底型模型３は固定用ビス２ａでベース板１に明けられた穴と台座２にあけられた穴を通して船底型模型３に明けられたネジ穴に固定される。
【００６】
また、上に載せる洋上模型５の底面は必ずしも平面ではなく反りが生じている場合があるが本発明の展示台を固定用ビス２ａで組み立てる際に前述の洋上模型５の底面の反りと一致するように船底型模型３を変形させて固定用ビス２ａを強く締め付ける事で洋上模型５の底面の反りと船底型模型３の上面の反りを一致させる事ができ、さらに磁力で引き付ける事で隙間なく連結する事が出来る。
【００７】
この反りの調節の為にベース板１に明けられた穴の内径は固定用ビス２ａの外径よりも大きく開けてある。
【００８】
反りの調整は中心部を下げて反りを生じさせるには図４に示す様に逆さにした船底型模型３の中心部に固形物６を置き、上から押さえつけながら固定用ビス２ａを締め付ける事で実現できる。
【００９】
また、両端を下げて反りを生じさせるには図５に示す様に船底型模型３の両端に固形物６を置き上から押さえつけながら固定用ビス２ａを締め付けることで実現できる。
【０１０】
【実施形態の効果】
上記の実施形態によれば、上に載せる洋上模型に多少の反りがあっても隙間なく連結して展示することが出来る。
【０１１】
【他の実施形態】
図１の実施形態では船底型模型に永久磁石板を取り付けたものであるが、上に載せる洋上模型側に永久磁石板を取り付け、船底型模型には鉄板などの磁性体を取り付けても良い。
【０１２】
また、洋上模型側に例えばＮ極、船底側にＳ極が出るように永久磁石を取り付けても良い。
【０１３】
図１の実施例では１個の永久磁石を取り付けた場合であるが複数の永久磁石板を並べても良い。
【０１４】
【発明の効果】
上記の様に、本発明は、船の洋上模型をフルハル模型として簡単にかつ連結部が隙間なく展示することが出来きる。また、船の種類が違っても喫水線以下の船底の形状は共通の物があり、この場合は一個の本発明の展示台で複数の種類の洋上模型を載せ替えてフルハル模型の展示を楽しむ事が出来る。
【図面の簡単な説明】
【図１】本発明の船模型の展示台の斜視図である。
【図２】本発明の船模型の展示台を分解した斜視図である。
【図３】本発明の実施例の斜視図である。
【図４】本発明の船底型模型の反り修正方法の正面図である。
【図５】本発明の船底型模型の反り修正方法の正面図である。
【符号の説明】
１  ベース板
２  台座
２ａ  固定用ビス
３  船底型模型
４  永久磁石板
５  洋上模型
５ａ  洋上模型の重り板
６  固形物
【図１】
2004195145.tif 000003
【図２】
2004195145.tif 000004
【図３】
2004195145.tif 000005
【図４】
2004195145.tif 000006
【図５】
2004195145.tif 000007
(57)【要約】【課題】遊戯場や車両の座席など人が並んで座る場合、隣人から煙が横へたなびいて、不快感を覚えたり健康の心配をしたり、特にパチンコ店等ではそれが長時間に及ぶ為に、遊ぶ事を止めてしまって店の売上に影響する弊害があった。【解決手段】人体前面に設置した送風機から、風が体の脇に向かって流れるように設置又は風向調節することによって、自らの煙が直接横へ流れない様又は隣人の煙を直接受けない様にした。送風機設置場所は、パチンコ店では遊戯機上部の呼び出しランプ面又は遊戯機の外枠とし、車両の座席では前席の背凭れ、とした。【選択図】図２
2004195175.tif 000002
【特許請求の範囲】
【請求項１】
遊戯場における横並び座席又は類似の環境において、人体の前面又は前面の左右両側に、送風機を設置するか又は送風機に加えてマイナスイオン発生機を備え、それによる風が座席に座る人の脇に向かって流れる様に風向を変えられる構造を有し、煙草の煙が隣人の方へ直接流れないようにした、煙害防止装置。
【発明の詳細な説明】
【０００１】
【発明が属する技術分野】
この発明は、パチンコ機等が数多く並ぶ遊戯店等で、隣人が吸う煙草の煙が直接的に顔の方へ来ない様にするものであり、車両での横並び座席の分野にも属する。
【０００２】
【従来の技術】
従来遊戯店では、店内全体の環境を良くするために空気清浄機が設置されているが、個々の遊戯をする人に対しては何も対策がなされておらず、煙を受ける当人が顔の位置をずらすしか方法が無かった。
【０００３】
【発明が解決しようとする課題】
遊戯場内にて個々の隣人から煙が横へたなびいた場合、健康を害したり、煙が目に掛かり耐えられず、長時間遊ぶ事を止めてしまい、店の売上に影響する弊害があった。
又、車両の横並び座席においても、喫煙車両と承知して座っていても、直ぐ隣の人の煙は不快感を感じるものであった。
【０００４】
【課題を解決するための手段】
遊戯場内の対策としては、上部にある呼び出しランプに送風機を内臓させるか、又は遊戯機本体の外枠の両側に設置するか、又は上方にスリットを設け設置する方法とした。
車両の座席では前の座席の背凭れ背面に送風機を設置した。
【０００５】
【発明の実施の形態】
人体前面に設置した送風機から、風が体の脇に向かって流れるように設置又は風向調節することによって、自らの煙が直接横へ流れない様にする。又は隣人の煙を直接顔や衣服に受けない様にした。
【０００６】
【実施例】
図１にマイナスイオン発生器を備えた送風機の断面図、図２に呼び出しランプに設置した正面図、図３にその側面図、図４に遊戯機に設置した正面図、図５に背凭れに設置した側面図を示す。
送風機１は、ファンモーター２と風向が変えられるマイナスイオン発生器３で構成され、遊戯機４では上方の呼び出しランプ５に設置される。
車両では、送風機１は前の座席の背凭れ６に設置されて、送風機１からの風７が体の脇を通る様にして煙の顔への直接的な害を防ぐ。
【０００７】
【発明の効果】
本装置により、隣人が吸う煙草の煙が直接顔へ掛かるのを防ぐことが出来るし、衣服に匂いが付くのを緩和出来る。
更に、マイナスイオンを放出させることにより、快適な空間を提供する事が出来、かつ空気清浄機の効果を高める事が出来る。
【図面の簡単な説明】
【図１】送風機断面図
【図２】呼び出しランプに設置した正面図
【図３】図２の側面図
【図４】遊戯機本体に設置した正面図
【図５】背凭れ側面図
【符号の説明】
１      送風機                      ２      ファンモーター
３      マイナスイオン発生器        ４      遊技機
５      呼び出しランプ              ６      背凭れ
７      風
【図１】
2004195175.tif 000003
【図２】
2004195175.tif 000004
【図３】
2004195175.tif 000005
【図４】
2004195175.tif 000006
【図５】
2004195175.tif 000007
(57)【要約】【課題】幼児用洋式トイレの踏み台がどの大きさの洋式トイレの便器にも取り付けられるようにする。それを使わなとき二段収納ボックスにする。【解決手段】幼児用洋式トイレの踏み台は二分されているので図３のように横幅を自由に変えることができるのでどの洋式トイレの便器にも使える。幼児用洋式トイレの踏み台は二分されているのでそれを一つに重ねると二段収納ボックスになる。【選択図】  図３
2004195177.tif 000002
【特許請求の範囲】
【請求項１】
どのメーカーの洋式トイレの便器にも取り付けられる幼児用洋式トイレの踏み台。
【請求項２】
幼児用洋式トイレの踏み台は使わないとき、二段収納ボックスになる。
【発明の詳細な説明】
【０００１】
【発明の属する技術分野】
本発明は、幼児用洋式トイレの踏み台及び収納ボックスに関する。
【０００２】
【従来の技術】
従来の技術に比べて「特願平６−１３９３６９」や「実願平３−１０００７６」に比べて、どの洋式トイレの便器にも使えるようにしてさらに、別な使い方にもできるようにする。
【０００３】
【発明が解決しようとする課題】
本発明は、大きさの違うどの洋式トイレにも取り付けられるように便器の横幅を自由に変化させることによって可能にする。又使わないとき幼児用洋式トイレの踏み台は二段収納ボックスにする。
【０００４】
【課題を解決するための手段】
本発明は、幼児用洋式トイレの踏み台を二分しているので横幅の長さを自由に変えることができる。それによって大きさの違うどの洋式トイレの便器にも取り付けが可能になる。幼児用洋式トイレの踏み台は二分されているのでそれぞれを重ねると二段収納ボックスになる。
【０００５】
【実施例】
本発明は、幼児用洋式トイレの踏み台は図１と図２から成り立っている。図１と図２の大きさは同じでなく図２はひとまわり小さいので重ねることができる。それぞれをすこしづつ重ね合わせて凹型の形にして便器の大きさに合わせて長さを調節して洋式トイレの便器の下にはめ込んで使う。
【０００６】
図１の右側側面は空いていて空洞である。図２は左側側面と右側側面は空いていて筒になっているので図１と図２を重ねることができる。
【０００７】
幼児用洋式トイレの踏み台は二分されている左側の部分の図１の１と２の間は図２の４が中に入れるように上下に隙間がある。図１の３も同じく上下に隙間があり図１の２と３の両面に図２の４と５の両面が入り込むようにしている。よって横幅の長さ調節ができてさらに幼児用洋式トイレの踏み台の形が安定する。
【０００８】
幼児用洋式トイレの踏み台は底面四角に滑り止めを施す。
【０００９】
本発明の幼児用洋式トイレの踏み台は二つから成り立っているので図１と図２を重ねると一つの箱ができる。まんなかが仕切られた箱になる。図４のように二段収納ボックスになる。
【００１０】
図１と図２を重ねると図４のように上の部分は少し重なって隙間がないようにする。
【００１１】
【発明の効果】
大人の身長にあわせて作られた洋式トイレの便器の高さは小さい幼児にとって大変使いづらい。本発明はどの洋式トイレの便器にも使えるので大変便利である。幼児がそれを使うことによって楽に座れて用をたすことができる。使わないときはそれを収納箱にかえてトイレの片隅において使う。また次の子にも使えるので経済的である。
【図面の簡単な説明】
【図１】本発明の二つからなる踏み台の左側の斜面図である。
【図２】本発明の二つからなる踏み台の右側の斜面図である。
【図３】本発明の踏み台として利用するときの斜面図である。
【図４】本発明の二段収納ボックスの斜面図である。
【図５】本発明の二段収納ボックスの正面図である。
【符号の説明】
１  左側部分の外側側面
２  左側部分の内側側面
３  左側部分の仕切り面
４  右側部分の外側側面
５  右側部分の仕切り面
６  滑り止め部材
【図１】
2004195177.tif 000003
【図２】
2004195177.tif 000004
【図３】
2004195177.tif 000005
【図４】
2004195177.tif 000006
【図５】
2004195177.tif 000007
(57)【要約】【課題】メガネケースを出来るだけ薄くコンパックトにし、メガネをメガネケースに入れた状態でも、メガネだけを直接胸ポケットに入れてる様な感覚のメガネを保護するメガネケース【解決手段】メガネにメガネケースをフィットさせるため、メガネレンズ枠の大きさに近づけ、メガネレンズだけを包む様にパット袋３を設け、テンプル５だけをメガネケースから出すことにより、薄くコンパクトにした。【選択図】  図１
2004195178.tif 000002
【特許請求の範囲】
【請求項１】
メガネケースの厚さを軽減するため、メガネのパット部分に穴をあけ又は穴を開けた部分を袋状に補修し、厚みを減少させるためのパット様のスペースを儲けフィットさせたメガネケース。
【請求項２】
メガネ枠と同じ大きさ及び形にすることにより大きくならずコンパクトで携帯が容易なメガネケース。
【請求項３】
メガネにケースを装着して、テンプル部分はケースに入れずに折りたたむメガネケース
【発明の詳細な説明】
【０００１】
【発明の属する技術分野】
本件発明は、メガネを保護するメガネケースに関する。
【０００２】
【従来の技術】
従来のメガネケースやカバーについては、メガネ枠と同等の大きさのもので同じ形状のものはなく、しかもメガネのテンプルをメガネケース内に収納するため厚みが全体的に残る。
【０００３】
【発明が解決しようとする課題】
従来の技術によれば、メガネケースを装着した状態でシャツの胸ポケットに入れられる様なシンプルなものはなかった。そこで、この発明は、不必要な部分をカットしてメガネ枠に近づけ、メガネケースに入れた状態で所持しやすいメガネケースを提供することを課題とする。
【０００４】
【課題を解決するための手段】
レンズにケースをフィットさせることにより厚みを減少させ、レンズ枠の大きさに近づけることで、よりコンパクトにした。
【０００５】メガネの下部から上部へ向かって包み込む様にしてメガネを入れ、マジックテープで上部を留め固定でき、薄くコンパクトな形にした。
【０００６】
【発明の実施の形態】
本発明は、メガネケースになる布地等の材料を二つ折りの状態で、メガネ枠の大きさに綴じ代部分を入れた状態でカットしする。折っている方を下部にして、開いている方を上部になる様にして、折ってある下部の鼻の位置に当たる部分を山状にカットし、二つ折の片方の図１に示すパットの当たる分部のパット３をパットの入る大きさにカットし、カット部分にパットを包む小さな袋を設ける、鼻の部分の山状にカットした部分を縫製し、上部にマジックテープを付ける。
【０００７】
【発明の効果】
特に夏は、ワイシャツの胸ポケットにメガネを入れることが多く、従来のケースだとかさ張り、本発明は、メガネだけを胸ポケットに入れる感覚でメガネケースを利用できる。また、胸ポケットにメガネを入れ前かがみになった時、よく落してレンズをキズつけることが多くその予防にもなる。
【図面の簡単な説明】
【図１】メガネケース裏の断面図である。
【図２】メガネケース表の断面図である。
【図３】メガネケースの平面図である。
【符号の説明】
１  メガネケース本体
２  メガネ（本特許申請から除く。）
３  パット袋
４  マジックテープ（登録商標）
５  テンプル（本特許申請から除く。）
【図１】
2004195178.tif 000003
【図２】
2004195178.tif 000004
【図３】
2004195178.tif 000005
(57)【要約】【課題】ネクタイの着用時にネクタイとワイシャツを押止するネクタイクリップに係るものであり、詳しくは装着並びに装飾に関するものである。【解決手段】ネクタイの大剣部（７）に装着するための針（１）と針うけ（２）からなる安全ピン構造と、ネクタイの小剣部（８）とワイシャツの一部（９）を挟みやすくするための指のかかる部位（４）を持つ略Ｕ字状に空間を持って折り曲げられたクリップ部（３）と、の構成からなる、ネクタイの大剣部（７）の表につく装飾（６）を針（１）を通すことによって付けることができる安全ピン付きネクタイ用クリップ。【選択図】  図４
2004195179.tif 000002
【特許請求の範囲】
【請求項１】
ネクタイの大剣部（７）に装着するための針（１）と針うけ（２）からなる安全ピン構造と、ネクタイの小剣部（８）とワイシャツの一部（９）を挟みやすくするための指のかかる部位（４）を持つ略Ｕ字状に空間を持って折り曲げられたクリップ部（３）と、の構成からなる安全ピン付きネクタイ用クリップ。
【請求項２】
ネクタイの大剣部（７）に装着するための針（１）の一部を任意でネクタイの大剣部（７）の表に出してそこに針（１）が安全に針うけ（２）におさまることのできる範囲のネクタイの大剣部（７）の表につく装飾（６）を針（１）を通すことによって付けることができる請求項１の安全ピン付きネクタイ用クリップ。
【発明の詳細な説明】
【０００１】
【発明の属する技術分野】
この発明はネクタイの着用時にネクタイとワイシャツを押止するネクタイクリップに係るものであり、詳しくは装着並びに装飾に関するものである。
【０００２】
【従来の技術】
従来、ネクタイとワイシャツを押止するネクタイ留めにはネクタイの装飾を兼て使われる小さな針で止めるネクタイピン式や、ネクタイとワイシャツを一度に挟むワニ口型クリップ式や、ネクタイ自体のデザインを重視してネクタイの内側で使われるスライド型クリップ式などが知られている。
【０００３】
【発明が解決しょうとする課題】
従来の技術で述べたものにはそれぞれ次のような問題点があった。
（イ）ネクタイピン式は小さな針で止めるので装飾部が落下しやすく紛失予防の金具の脱着に手間がかかり面倒だった。
（ロ）ワニ口型クリップはワニ口部でネクタイの大剣の表面を損なう恐れがありまたはずした後に紛失する恐れがあった。
（ハ）スライド型クリップ式はネクタイ装着時の内側になるネクタイの小剣とワイシャツの一部を挟むクリップ式で形状としてのクリップ部の上辺と下辺は平行もしくは斜形の直線であることが多く指のかかる部位は少なく装着しにくく、またはずした後に紛失する恐れがあり、また内側に装着するのでネクタイの大剣の表面に装飾性を持たせることができなかった。
本発明はこれらの問題を解決するためになされたものである。
【０００４】
【課題を解決するための手段】
ネクタイの大剣部（７）に装着するための針（１）と針うけ（２）からなる安全ピン構造と、ネクタイの小剣部（８）とワイシャツの一部（９）を挟みやすくするための指のかかる部位を（４）持つ略Ｕ字状に空間を持って折り曲げられたクリップ部（３）との構成からなる安全ピン付きネクタイ用クリップ。そしてネクタイの大剣部（７）に装着するための針（１）の一部を任意によりネクタイの大剣部（７）の表に出してそこに針（１）が安全に針うけ（２）におさまることができる範囲のネクタイの大剣部の表につく装飾（６）を針（１）に通すことによって付けることができる安全ピン付きネクタイ用クリップ。
【０００５】
【発明の実施の形態】
以上、本発明の実施の形態について説明する。
（イ）略Ｕ字状にネクタイの小剣部（８）とワイシャツの一部（９）を挟めるほどの空間を持って折り曲げられたネクタイの大剣部（７）より小さくネクタイの小剣部（８）よりも大きいクリップ部（３）に適当な大きさを持つ針（１）と針うけ（２）から成る安全ピン構造を設ける。
（ロ）クリップ（３）の安全ピン構造側より短い面にネクタイの小剣部（８）とワイシャツの一部（９）がはずれにくいように止めるためと装着しやすくするための止めと返りの部位（５）を設ける。
（ハ）クリップ部（３）の短い面に略Ｕ字状の空間のあき口を開きやすくしてネクタイの小剣部（８）とワイシャツの一部（９）を入れやすくするために指のかかる部位（４）を設ける。
本発明は以上のような構造でこれを使用するときはネクタイの大剣部（７）の裏面に安全ピン構造で装着しクリップ部（３）でネクタイの小剣部（８）とワイシャツの一部（９）を挟みその結果ネクタイがワイシャツに留められる。
【０００６】
本発明の実施法としてネクタイの大剣部（７）に装着するための針（１）の一部をネクタイの大剣部（７）の表に出してそこに針（１）が安全に針うけ（２）におさまることができる範囲のネクタイの大剣部の表につく装飾（６）を針（１）に通してつけることで装飾を設けることができる。
【０００７】
【発明の効果】
安全ピン構造でネクタイの大剣部（７）の裏面に装着するので装着場所を任意で決めることができ一度装着すると付けたままにしておけるので紛失の恐れが少ない。
また指のかかる部位（４）があるのでクリップ部（３）の装着がしやすく新にワイシャツの内側に装飾をもたせることもできる。
また安全ピン構造でネクタイの大剣部（７）の裏面に装着し針（１）の一部をネクタイの大剣部（７）の表に出してそこに針（１）が針うけ（２）に安全におさまることができる範囲のネクタイの大剣部の表につく装飾（６）ならば任意でつけかえることができ一度装着するとつけたままにしておけるのでネクタイの大剣部（７）の表面を損なうことも少なく紛失の恐れも少ない。
【図面の簡単な説明】
【図１】本発明の斜視図（針（１）が針うけ（２）におさまっている状態）
【図２】本発明の要部断面図（針（１）が針うけ（２）におさまっていない状態）
【図３】本発明のネクタイ表の装飾をつけない時の使用説明断面図
【図４】本発明のネクタイ表の装飾をつけた時の使用説明断面図
【符号の説明】
（１）  針
（２）  針うけ
（３）  クリップ
（４）  指のかかる部位
（５）  止めと返りの部位
（６）  ネクタイの大剣部の表につく装飾
（７）  ネクタイの大剣部
（８）  ネクタイの小剣部
（９）  ワイシャツの一部
【図１】
2004195179.tif 000003
【図２】
2004195179.tif 000004
【図３】
2004195179.tif 000005
【図４】
2004195179.tif 000006
(57)【要約】      （修正有）【課題】ソファーの肘掛けの位置を上下に移動させれば他の目的に使用することも出来る。そこで肘掛けの位置を上下させることにより枕等に利用することが可能であり、肘掛けを上下に移動することができるソファーを提供する。【解決手段】ソファーの前面両端に支柱１を立てこの内部をカットしスライド板２を刺し込み、これを任意の位置に固定するため複数の雌ネジ３を支柱の内部奥に埋め込み、必要な高さの雌ネジ３を選びこれに雄ネジ４と結合させスライド板２をのせる。スライド板２の上端には肘掛け５が直角に固定してあるので任意の位置に停止出来る。【選択図】  図３
2004195176.tif 000002
【特許請求の範囲】
【請求項１】
ソファの肘掛け（５）の高さを上下に移動させるには前面角に支柱（１）を取付け、その内部に上下にスライド出来る細長い板（２）を保持するため支柱（１）の内部をＴ字形にカットしこの内部に板（２）を挿入する。この板（２）を任意の位置に止めるため支柱（１）のカット奥面中心に複数の雌ネジ（３）をねじ込む。板（２）を任意の位置に止めるには任意の雌ネジ（３）に雄ネジ（４）をねじこみ板（２）の底部をその上に乗せて停止する。板（２）の上端には肘掛け（５）を直角に固定して取り付けてある。特許請求の範囲は前記のとおり肘掛け（５）を上下させることにより下部の場合には枕代りにすることが可能となり、肘掛けとした場合にその高さを任意の高さで使用出来ることである。
【発明の詳細な説明】
この発明はソファの肘掛けを上下させて、低位置の場合は枕代りになり、肘掛けの場合は快適な高さにして使用することが可能となる。その方策としてソファーの前面両角に支柱（１）を立てその内部をＴ字型にカットし上下スライド出来る板（２）を差し込み上端に肘掛け（５）を直角に接続して肘掛け（５）を上下に移動させるようにした。これを適当な高さに固定する方法として、支柱（１）をカットした内部奥面に復数の雌ネジ（３）を横位置にねじ込み適当な高さのものを選び、これに雄ネジ（４）をねじ込み、その上に板（２）の低部を乗せて停止する。なお手動式操作を電動式にすることも可能である。
【図面の簡単な説明】
【図１】本発明の左正面図である。
【図２】平面図
【３】右側面図
【符号の説明】
１は支柱    ２はスライド板    ３雌ネジ    ４は雄ネジ
５は肘掛け
【図１】
2004195176.tif 000003
【図２】
2004195176.tif 000004
【図３】
2004195176.tif 000005
(57)【要約】【課題】ユノー＃２５０はテンプラ油等の廃油を吸い取るもので、それの再使用可能を旨とした商品です。廃油の中にこれを入れると即吸い取りますので一般家庭で容易に使えるものです。又ユノー＃３０００は海洋油汚染の際使用するもので、水の吸収を一切しませんので汚染場所に浮かせておけば油分を吸い取る働きをします。現状タンカーの油もれがあちこちで発生して居ますが、それを解決する事が出来ると思われます。【解決手段】ユノー＃２５０は一般家庭使用向きですが、宣伝力がない為、認知されるのに時間を要すると思われる。又、ユノー＃３０００については企業及び海上保安部等に働きかけて販売迄に時間はかからないが、単価的に少々高くつくのが問題となる。【選択図】    図２
2004195157.tif 000002
【特許請求の範囲】
【請求項１】
綿布袋に株式会社クラレ製造のセプトン４０５５を入れたものです。
【請求項２】
綿＃４０両面綿クロス、スムースアミの布袋に上記セプトン４０５５を入れ、それをさらに麻袋の中に入れたものです。
【発明の詳細な説明】
【０００１】
【発明に属する技術分野】
本発明はセプトン４０５５を用いて廃油を吸収する事を目標としていて、綿布袋に入れて天ぷらの油を吸い取るものです。
【０００２】
油による海洋汚染等を除去する事を目的とし、麻袋にセプトン４０５５を入れ海等に投入して油のみを吸い取る事により目的を果たす。
【０００３】
【従来の技術】
天ぷら油の使用済分を処理するには油の中に固めるものを入れて処理していた。
【０００４】
海に油が流出した場合はオイルフェンスを張って中和剤を撒き、オイルマットで吸い取りそれを除去する事によって解消していたが、本商品を海に投入する事により解決する。
【０００５】
先行技術文献情報はありません。
【０００６】
【発明が解決しようとする課題】
天ぷら油等廃油を処理する従来の方法より簡素化されるが、１回の処理に要する費用が若干高くつく事です。これを２度以上再使用出来れば良い。
【０００７】
海洋汚染については、従来の方法を大きく転化させる事については金銭に代えられない高上を見込まれるが、法律の変更を待ち望む。
【０００８】
【課題を解決するための手段】
天ぷら油等の廃油も海洋汚染等の解決も、本商品については金銭面が問題になるが、原料であるセプトンの価格低下方法を考慮中です。
【０００９】
【発明の実施の形態】
天ぷら油等の処理については、本商品生産が１００％手作りである為、即需要に応じられるが問題は残る。
【００１０】
一般油もれ等の対応については即実施に又簡単に使用可能になるが、海洋汚染の対応には法律の変更が必要となる。
【００１１】
【発明の効果】
天ぷら油等の廃油を本商品ユノー＃２５０で吸い取る様にすると、従来の様にその都度捨てなくて良い為、ゴミが少なくなる。
【００１２】
ユノー＃３０００は今までの海洋汚染清掃になかった為、作業方法が大きく変わる事になると思われます。即ち油汚染部分にこれを流す事によって、油のみ吸ってしまう為あとはこのユノーを回収すれば終わりです。尚、回収した分の油切りをすると又このユノーは使用可能となります。
【００１３】
【図面の簡単な説明】
【図１】ユノー＃２５０テンプラ油等廃油吸い取り用に使用する小形の物です。
【図２】ユノー＃３０００で海洋汚染の油類を吸収する物の側面図です。
【図３】ユノー＃３０００の内袋です。
【符号の説明】
Ａ．  ユノー＃２５０が油を含むと重くなり、箸では持ち上がりませんので箸通しです。
Ｂ．  ユノー＃３０００の麻布で端は麻糸での巻き縫いを意味しています。
Ｃ．  ユノー＃３０００の内袋のコットン＃４０両面綿クロス、スムースアミの布袋をミシン掛したものです。
【図１】
2004195157.tif 000003
【図２】
2004195157.tif 000004
【図３】
2004195157.tif 000005